(57)【要約】【課題】  データ登録や検索ワードなどの文字入力や特徴マッチングなどを行わない、極めて簡単なコンテンツ検索システムを提供する。【解決手段】  大容量記憶媒体１１に保存されているコンテンツデータを検索するコンテンツ検索システムであって、前記コンテンツデータのうち、関連元となるコンテンツを関連元コンテンツとして登録し、該関連元コンテンツとそれに関連するコンテンツとの間に参照関係のリンクを構築するリンク構築手段１２と、前記関連元コンテンツを指定し、前記リンクによって所望のコンテンツを検索する検索手段１３と、保存されているコンテンツ又は前記リンクの利用頻度を集計し、表示する順序、表示される場所、文字の大きさ等の重み付けを変化させて利用頻度の高いコンテンツをより前面に、より検索しやすく表示する利用頻度集計・表示制御手段１４とを備えた。【選択図】  図１
2007066228.tif 000002
【特許請求の範囲】
【請求項１】
記憶媒体に保存されているコンテンツデータを検索するコンテンツ検索システムであって、
前記コンテンツデータのうち、関連元となるコンテンツを関連元コンテンツとして登録し、該関連元コンテンツとそれに関連するコンテンツとの間に参照関係のリンクを構築するリンク構築手段と、
前記関連元コンテンツを指定し、前記リンクによって所望のコンテンツを検索する検索手段とを備えたことを特徴とするコンテンツ検索システム。
【請求項２】
請求項１に記載のコンテンツ検索システムにおいて、
前記検索手段は、複数の関連元のコンテンツを指定し、それぞれに関連するコンテンツを検索することを特徴とするコンテンツ検索システム。
【請求項３】
請求項１又は２に記載のコンテンツ検索システムにおいて、
前記検索手段は、指定された関連元コンテンツから複数階層の範囲内のコンテンツを検索することを特徴とするコンテンツ検索システム。
【請求項４】
請求項１〜３のいずれかに記載のコンテンツ検索システムにおいて、
前記リンク構築手段は、新規コンテンツデータの追加時に、既存のコンテンツを選んで当該新規コンテンツの関連元として登録することを特徴とするコンテンツ検索システム。
【請求項５】
請求項１〜４のいずれかに記載のコンテンツ検索システムにおいて、
前記リンク構築手段は、複数のコンテンツをグループ化し、保存されているコンテンツを一つ又は複数のグループに登録することを特徴とするコンテンツ検索システム。
【請求項６】
請求項５に記載のコンテンツ検索システムにおいて、
前記検索手段は、関連元として前記グループを指定し、検索範囲を前記グループ内のコンテンツに絞り込むことを特徴とするコンテンツ検索システム。
【請求項７】
請求項５に記載のコンテンツ検索システムにおいて、
前記検索手段は、関連元としてグループを指定することにより、当該グループ全体を仮想的な登録データとし、その登録データであるグループ内のコンテンツを関連元とするグループ外のコンテンツを検索することを特徴とするコンテンツ検索システム。
【請求項８】
請求項５に記載のコンテンツ検索システムにおいて、
前記検索手段は、関連元として複数のグループを指定することにより、指定された複数グループの和集合、または積集合をとって新たにできた新たなグループを検索範囲としてコンテンツを絞り込むことを特徴とするコンテンツ検索システム。
【請求項９】
請求項５に記載のコンテンツ検索システムにおいて、
前記検索手段は、関連元として複数のグループを指定することにより、指定された複数グループの和集合、または積集合をとって絞り込まれた新たなグループを仮想的な登録データとして、その登録データであるグループ内のコンテンツを関連元とするグループ外のコンテンツを検索することを特徴とするコンテンツ検索システム。
【請求項１０】
請求項１〜９のいずれかに記載のコンテンツ検索システムにおいて、
保存されているコンテンツの利用頻度を集計し、表示する順序、表示される場所、文字の大きさ等の重み付けを変化させて利用頻度の高いコンテンツをより前面に、より検索しやすく表示する手段を備えたことを特徴とするコンテンツ検索システム。
【請求項１１】
請求項１〜９のいずれかに記載のコンテンツ検索システムにおいて、
リンクの利用頻度を集計し、表示する順序、表示される場所、文字の大きさ等の重み付けを変化させて利用頻度の高いリンクをより前面に、より検索しやすく表示する手段を備えたことを特徴とするコンテンツ検索システム。
【請求項１２】
請求項１０又は１１に記載のコンテンツ検索システムにおいて、
利用頻度を求めるために各コンテンツ間のリンクを要素とする行列を作成して行列の計算を行う演算手段を備えたことを特徴とするコンテンツ検索システム。
【請求項１３】
請求項１０〜１２のいずれかに記載のコンテンツ検索システムにおいて、
前記リンク構築手段は、頻繁に利用される複数リンクを直接リンクに自動的に再構築を行うことを特徴とするコンテンツ検索システム。
【請求項１４】
請求項１３に記載のコンテンツ検索システムにおいて、
前記リンク構築手段は、自動的に再構築された直接リンクが利用されなくなった場合に、当該直接リンクを解除することを特徴とするコンテンツ検索システム。
【請求項１５】
請求項１３又は１４に記載のコンテンツ検索システムにおいて、
前記リンク構築手段は、利用頻度から直接リンクを自動的に再構築する閾値Ａと直接リンクを解除する閾値Ｂを設定し、期間内での利用回数が閾値Ａを超えた場合には直接リンクを自動的に再構築し、閾値Ｂを下回った場合には直接リンクを解除することを特徴とするコンテンツ検索システム。
【請求項１６】
記憶媒体に保存されているコンテンツデータを検索するコンテンツ検索方法であって、
前記コンテンツデータのうち、関連元となるコンテンツを関連元コンテンツとして登録する登録段階と、
前記関連元コンテンツとそれに関連するコンテンツとの間に参照関係のリンクを構築するリンク構築段階と、
前記関連元コンテンツを指定し、前記リンクによって所望のコンテンツを検索する検索段階とを備えたことを特徴とするコンテンツ検索方法。
【請求項１７】
請求項１６に記載のコンテンツ検索方法において、
前記登録段階は、複数のコンテンツをグループ化して登録し、前記検索段階は、関連元として前記グループを指定することを特徴とするコンテンツ検索方法。
【請求項１８】
請求項１６又は１７に記載のコンテンツ検索方法において、
前記保存されているコンテンツ又は前記構築されたリンクの利用頻度を集計し、表示する順序、表示される場所、文字の大きさ等の重み付けを変化させて利用頻度の高いコンテンツをより前面に、より検索しやすく表示する段階を備えたことを特徴とするコンテンツ検索方法。
【請求項１９】
請求項１８に記載のコンテンツ検索方法において、
前記リンク構築段階は、頻繁に利用される複数リンクを直接リンクに自動的に再構築し、利用されなくなった場合に、当該直接リンクを解除する段階を備えたことを特徴とするコンテンツ検索方法。
【発明の詳細な説明】
【技術分野】
【０００１】
本発明は、大容量記憶媒体に蓄積された文書，音声，画像等のコンテンツを検索するコンテンツ検索システムおよびその方法に関する。
【背景技術】
【０００２】
従来のデータ検索技術は、図１２の実線の矢印に示すようにキーワード，参照音声，参照画像などのキー情報をもとにして、検索対象データ（文書，音声，画像）とのパターンマッチング等を行ってデータそのものの類似性を比較すること、又は図１２の破線の矢印に示すように検索対象データに付随するタイトルやメタデータなどの付加情報とキー情報の類似性を比較することにより検索していた。これはデータベースを構築、管理する専門の要員およびそのための高精度なアプリケーションにより維持管理を継続することで、検索による精度を保っている。
【０００３】
尚上記のような方法を応用したデータ検索技術としては、例えば下記特許文献１〜４に記載のものが提案されている。
【特許文献１】特開２００３−１５７２８５号公報
【特許文献２】特開２００４−１５２２８５号公報
【特許文献３】特開平１１−３１６７５９号公報
【特許文献４】特開平８−６３４６５号公報
【発明の開示】
【発明が解決しようとする課題】
【０００４】
近年の急速なデジタル技術の普及により、デジタルビデオレコーダ，デジタルビデオカメラ，デジタルカメラ（静止画）を一般家庭でも保有するようになり、家庭内のデジタルデータの総量が急速に増えている。これらのデータに対しても、検索技術が必要とされつつあるが、個人が自分の利用のために、付属情報を体系的に入力することは困難であり、利用者によってはタイトルの入力でさえ、煩雑として、入力されていない場合が多い。その結果、データの総量が増加するにつれ、検索することが困難になり、映像を撮りためておくだけとなっている。
【０００５】
本発明は上記の点に鑑みてなされたものでその目的は、データ登録や検索ワードなどの文字入力や特徴マッチングなどを行わない、極めて簡単なコンテンツ検索システムおよびその方法を提供することにある。
【課題を解決するための手段】
【０００６】
上記の課題を解決するために本発明は、記憶媒体に保存されているコンテンツデータを検索するコンテンツ検索システムであって、前記コンテンツデータのうち、関連元となるコンテンツを関連元コンテンツとして登録し、該関連元コンテンツとそれに関連するコンテンツとの間に参照関係のリンクを構築するリンク構築手段と、前記関連元コンテンツを指定し、前記リンクによって所望のコンテンツを検索する検索手段とを備えたことを特徴とするコンテンツ検索システムを手段とする。
【０００７】
あるいは、上記のコンテンツ検索システムであって、前記検索手段は、複数の関連元のコンテンツを指定し、それぞれに関連するコンテンツを検索することを特徴とするコンテンツ検索システムを手段とする。
【０００８】
あるいは、上記のコンテンツ検索システムであって、前記検索手段は、指定された関連元コンテンツから複数階層の範囲内のコンテンツを検索することを特徴とするコンテンツ検索システムを手段とする。
【０００９】
あるいは、上記のコンテンツ検索システムであって、前記リンク構築手段は、新規コンテンツデータの追加時に、既存のコンテンツを選んで当該新規コンテンツの関連元として登録することを特徴とするコンテンツ検索システムを手段とする。
【００１０】
あるいは、上記のコンテンツ検索システムであって、前記リンク構築手段は、複数のコンテンツをグループ化し、保存されているコンテンツを一つ又は複数のグループに登録することを特徴とするコンテンツ検索システムを手段とする。
【００１１】
あるいは、上記のコンテンツ検索システムであって、前記検索手段は、関連元として前記グループを指定し、検索範囲を前記グループ内のコンテンツに絞り込むことを特徴とするコンテンツ検索システムを手段とする。
【００１２】
あるいは、上記のコンテンツ検索システムであって、前記検索手段は、関連元としてグループを指定することにより、当該グループ全体を仮想的な登録データとし、その登録データであるグループ内のコンテンツを関連元とするグループ外のコンテンツを検索することを特徴とするコンテンツ検索システムを手段とする。
【００１３】
あるいは、上記のコンテンツ検索システムであって、前記検索手段は、関連元として複数のグループを指定することにより、指定された複数グループの和集合、または積集合をとって新たにできた新たなグループを検索範囲としてコンテンツを絞り込むことを特徴とするコンテンツ検索システムを手段とする。
【００１４】
あるいは、上記のコンテンツ検索システムであって、前記検索手段は、関連元として複数のグループを指定することにより、指定された複数グループの和集合、または積集合をとって絞り込まれた新たなグループを仮想的な登録データとして、その登録データであるグループ内のコンテンツを関連元とするグループ外のコンテンツを検索することを特徴とするコンテンツ検索システムを手段とする。
【００１５】
あるいは、上記のコンテンツ検索システムであって、保存されているコンテンツの利用頻度を集計し、表示する順序、表示される場所、文字の大きさ等の重み付けを変化させて利用頻度の高いコンテンツをより前面に、より検索しやすく表示する手段を備えたことを特徴とするコンテンツ検索システムを手段とする。
【００１６】
あるいは、上記のコンテンツ検索システムであって、リンクの利用頻度を集計し、表示する順序、表示される場所、文字の大きさ等の重み付けを変化させて利用頻度の高いリンクをより前面に、より検索しやすく表示する手段を備えたことを特徴とするコンテンツ検索システムを手段とする。
【００１７】
あるいは、上記のコンテンツ検索システムであって、利用頻度を求めるために各コンテンツ間のリンクを要素とする行列を作成して行列の計算を行う演算手段を備えたことを特徴とするコンテンツ検索システムを手段とする。
【００１８】
あるいは、上記のコンテンツ検索システムであって、前記リンク構築手段は、頻繁に利用される複数リンクを直接リンクに自動的に再構築を行うことを特徴とするコンテンツ検索システムを手段とする。
【００１９】
あるいは、上記のコンテンツ検索システムであって、前記リンク構築手段は、自動的に再構築された直接リンクが利用されなくなった場合に、当該直接リンクを解除することを特徴とするコンテンツ検索システムを手段とする。
【００２０】
あるいは、上記のコンテンツ検索システムであって、前記リンク構築手段は、利用頻度から直接リンクを自動的に再構築する閾値Ａと直接リンクを解除する閾値Ｂを設定し、期間内での利用回数が閾値Ａを超えた場合には直接リンクを自動的に再構築し、閾値Ｂを下回った場合には直接リンクを解除することを特徴とするコンテンツ検索システムを手段とする。
【００２１】
また上記の課題を解決するために本発明は、記憶媒体に保存されているコンテンツデータを検索するコンテンツ検索方法であって、前記コンテンツデータのうち、関連元となるコンテンツを関連元コンテンツとして登録する登録段階と、前記関連元コンテンツとそれに関連するコンテンツとの間に参照関係のリンクを構築するリンク構築段階と、前記関連元コンテンツを指定し、前記リンクによって所望のコンテンツを検索する検索段階とを備えたことを特徴とするコンテンツ検索方法を手段とする。
【００２２】
あるいは、上記のコンテンツ検索方法であって、前記登録段階は、複数のコンテンツをグループ化して登録し、前記検索段階は、関連元として前記グループを指定することを特徴とするコンテンツ検索方法を手段とする。
【００２３】
あるいは、上記のコンテンツ検索方法であって、前記保存されているコンテンツ又は前記構築されたリンクの利用頻度を集計し、表示する順序、表示される場所、文字の大きさ等の重み付けを変化させて利用頻度の高いコンテンツをより前面に、より検索しやすく表示する段階を備えたことを特徴とするコンテンツ検索方法を手段とする。
【００２４】
あるいは、上記のコンテンツ検索方法であって、前記リンク構築段階は、頻繁に利用される複数リンクを直接リンクに自動的に再構築し、利用されなくなった場合に、当該直接リンクを解除する段階を備えたことを特徴とするコンテンツ検索方法を手段とする。
【００２５】
本発明は、以下のような特徴的構成を有する。すなわち、検索対象の相互関係を、有向グラフを利用して関連付けした検索方法であって、
（１）メタデータやタイトルなどの付属情報を利用しないため、データ登録にあたって利用者が文字入力を行う必要がない。
（２）検索にあたって、検索キーワード等の文字入力も必要としない。
（３）検索対象の内容の特徴によるマッチング（類似性）を走査しないため、種類（音声，静止画，動画，文書）に関わらず利用できる。
【００２６】
本発明では、デジタルデータの登録の際に関連する検索対象を一つまたは複数指定し、登録されたデータ相互の関係を、例えば図２のように有向グラフで表現できる参照関係のリンクを保持する。具体的には図２の関係状態にあるときに「画像（静止画１）」を関連元と指定した場合に、これが検索キーとして作用し、図３に示す３つのデータが検索結果として返される。図４では、関連元を複数指定した場合の例を示してある。また、図３、図４では検索の深さを１階層と暗黙に規定した例であるが、図５に示すように関連元からのリンクを２階層までとして検索範囲を指定してもよい。図６では新たなデータを登録する場合について示してある。このように本発明は有向グラフで表現される関係を用いて、参照の形式で実行される検索システムであることを特徴としている。
【００２７】
また、登録されるデータが多数となる場合には、任意のデータをまとめてグループ化し、これらを検索範囲（以下、フィルタと称する）としたり、あるいは仮想的な登録データ（以下、キーと称する）としたりしてよい。図７では、５つのデータをグループＡとして表記し、グループ化を示している。具体的な利用例は図８に示す。また図９には、複数のグループが構成された場合の検索結果例を示す。
【００２８】
さらに、過去に利用された検索の履歴を記録し、例えば、図１０に示すように利用回数や頻度を有向グラフ表現に情報として保持し、図１１に示すように利用頻度が高い複数リンクについては新たな直接リンクを自動的に追加したり、一度作成した直接リンクの利用頻度が少なくなった場合には直接リンクを解除するために利用することもできる。その利用頻度を求める際には各コンテンツ間のリンクを要素とする行列を作成して、行列を計算してもよい。
【００２９】
以下に、リンク関係の行列表現と行列の計算例を示す。  
【００３０】
行列の積Ｌ・Ｌ：リンクを２回たどって目的のコンテンツに到達
【００３１】
【数１】
2007066228.tif 000003
【００３２】
自動リンク設定のアルゴリズム例
Ｉｆ  Ｌik＝０  ａｎｄ（Ｌ・Ｌ）ik＞α  ｔｈｅｎ  Ｌik＝１
α：利用状況の閾値（例；コンテンツあたりの平均利用回数）
自動リンク解除のアルゴリズム例
Ｉｆ  Ｌik＞０  ａｎｄ（Ｌ・Ｌ）ik＜β  ｔｈｅｎ  Ｌik＝０
β：利用状況の閾値（例；コンテンツあたりの平均利用回数×０．１）
また、求められた利用回数等の利用頻度に応じて、表示する順序、表示される場所、文字の大きさ等を変化させたりして、より利用頻度の高いコンテンツをより前面により検索しやすく表示することも可能である。
【発明の効果】
【００３３】
（１）請求項１〜１９に記載の発明によれば、動画，画像，音楽，文書等のコンテンツを保存する大容量記憶媒体において、データ登録や検索ワードなどの文字入力をする必要がなく、特徴のマッチングなども行わない簡易な検索システム、方法を提供することができる。
（２）請求項５〜９および１７に記載の発明によれば、コンテンツのグループ化によって、検索対象コンテンツが増大しても検索が簡素化される。
（３）請求項１０〜１２および１８に記載の発明によれば、検索がしやすくなって検索効率が向上する。
（４）請求項１３〜１５および１９に記載の発明によれば、利用頻度を反映したリンクを構築することができ、効率的な検索が行える。
【発明を実施するための最良の形態】
【００３４】
以下、図面を参照しながら本発明の実施の形態を説明するが、本発明は下記の実施形態例に限定されるものではない。
【００３５】
本発明の基本構成を図１に示す。図１において１１は記憶媒体、例えば動画、画像、音楽、文書等のコンテンツデータを保存する大容量記憶媒体である。１２は、大容量記憶媒体１１に保存されているコンテンツのうち、関連元となるコンテンツを関連元コンテンツとして登録し、該関連元コンテンツとそれに関連するコンテンツとの間に参照関係のリンクを構築するリンク構築手段である。
【００３６】
１３は、前記関連元コンテンツを指定し、前記リンク構築手段１２で構築されたリンクによって所望のコンテンツを検索する検索手段であり、検索データや各種のデータを表示する表示部２３を備えている。
【００３７】
１４は、保存されているコンテンツ又は前記リンクの利用頻度を集計し、表示する順序、表示される場所、文字の大きさ等の重み付けを変化させて利用頻度の高いコンテンツをより前面に、より検索しやすく表示する制御を行う利用頻度集計・表示制御手段である。
【００３８】
この利用頻度集計・表示制御手段１４には、利用頻度を求めるために、例えば各コンテンツ間のリンクを要素とする行列を作成して行列式の計算を行う演算部２４を備えている。
【００３９】
これらリンク構築手段１２、検索手段１３、表示部２３、利用頻度集計・表示制御手段１４、演算部２４は、コンピュータシステムによって構成されるものであり、以下に説明する実施形態はこのコンピュータシステムを用いて実施される。
【００４０】
（第１の実施形態）
本発明のコンテンツ検索システムの実施例を図２〜図１１に示す。  
【００４１】
図２は検索対象の参照の例を示す。検索対象のコンテンツを文書１，文書２，音声１，音声２，音声３，画像（静止画１），画像（静止画２），画像（動画１）画像（動画２），画像（動画３）とし、図示のような相互の関係があるとする。
【００４２】
このとき文書、音声は代表的な部分を、動画では代表的な画像をサムネイルに使用する。矢印の根元側は関連元、矢印の頭側は検索結果を示している。画像（動画３）と画像（静止画２）のようにお互いが関連元であり、検索結果にもなるような場合もある。
【００４３】
このときの検索結果は、例えば図３に示すように画像（静止画１）を関連元と指定した場合には画像（動画２），画像（動画３），音声１となる。さらに、図４に示すように複数のコンテンツを関連元として指定して検索を行うことも可能である。例えば、画像（静止画１）と画像（静止画２）を関連元とした場合には、検索結果は画像（動画３）となる。
【００４４】
また、図３、図４では検索の範囲を１階層までとしていたが、複数階層まで検索することも可能である。例えば図５に示すように文書２を関連元とし、検索範囲を２階層までと指定した場合、検索結果は音声１と画像（動画３）となる。
【００４５】
さらに、今までの検索対象に新規のコンテンツを追加する場合には、既存のコンテンツから１つ以上の関連元となるコンテンツを選択して関連元として登録する必要がある。図６に示すように、画像（動画４）を新規に追加する場合には図２に示す既存コンテンツの中から、画像（静止画１）を関連元として登録する。その結果、画像（静止画１）を関連元として指定した場合の検索結果は、音声１，画像（動画２），画像（動画３），画像（動画４）となる。
（第２の実施形態）
さらに検索対象となるコンテンツが増大し、検索が容易でなくなってしまった場合には、複数のコンテンツをグループ化して検索の簡素化を図る。図７の例はではグループＡとして、文書１，文書２，画像（動画１），画像（動画２），画像（動画３）を１つのグループとする。
【００４６】
そのグループがどのようなグループであるかを見てわかるように、グループ内のコンテンツはそのグループ内の代表的なコンテンツを選択し、そのコンテンツをグループの関連元とする。
【００４７】
グループＡの関連元コンテンツとして例えば画像（動画３）を設定したとすると、検索のトップ画面にて画像（動画３）を選択するとグループＡが選択されたことになる。
【００４８】
グループを検索に利用する利用方法には以下の二つがある。  
【００４９】
・フィルタ機能：検索範囲をフィルタ内に絞り込むために利用
・キー機能：フィルタを関連元として検索を行うために利用
すなわち、図８に示すようにグループＡのフィルタ機能での検索結果は、文書１，文書２，画像（動画１），画像（動画２），画像（動画３）となる。キー機能での検索結果は、音声１，画像（静止画２）である。
【００５０】
さらに複数のグループを選択して検索を行うこともできる。図９に示すようにグループＢとして音声１，画像（静止画１），画像（静止画２），画像（動画２），画像（動画３）を１つのグループとする。複数グループの場合、和集合や積集合などを用いて新たなグループを作成し、その新たなグループを用いて検索を行うことができる。
【００５１】
例えば、グループＡ＆グループＢを新たなグループとするフィルタ機能での検索結果は画像（動画２），画像（動画３）である。＆は和集合の意味。また、グループＡ＆グループＢの新たなグループにおけるキー機能での検索結果は音声１，画像（静止画２）となる。
（第３の実施形態）
また、コンテンツを相互に関連付けて登録する行為は通常新規登録時に行われるが、そのときに関連元としてよく用いられるコンテンツとそうでないコンテンツ、さらに実際の検索においてもよく利用されるコンテンツとそうでないコンテンツに分けられる。また、リンクについても実際に検索時によく使われるリンクとあまり使われないリンクに分かれることが予想される。
【００５２】
そこで図１０に示しているようによく使われるコンテンツ、リンクに対して重み付けをして表示の順番を変えるとか、文字の大きさを変える等を行い、より検索しやすいシステムとすることができる。
【００５３】
図１０においては、検索や登録に用いられた回数の多いコンテンツおよびリンクを太線で、あまり使われないコンテンツ、およびリンクを破線で示している。太線から判断して画像（静止画１）を関連元として画像（動画２），画像（動画３），画像（動画４）を検索するリンク、および画像（動画３）を関連元として画像（静止画２）を検索するリンクの利用回数が多いことがわかる。さらに、直接のリンクは張られていないが、複数のリンクを用いてリンクの張られていないコンテンツの検索が行われるということも考えられる。
【００５４】
図１０では画像（静止画１）を関連元にして、画像（動画３）を経由して画像（静止画２）へのリンクも利用回数が多いという結果が得られたとする。このような場合、毎回複数リンクを用いて検索するよりも、図１１のように直接リンクを張った方が効率的である。そのようなリンクの再構築を検索システム側で自動的に設定することができる。
【００５５】
また、自動的に再構築したリンクは利用頻度が極端に少なくなった場合には解除することもできる。この自動再構築を行うためには、それぞれのリンクの利用状況を把握し、複数リンクでの検索の利用回数があらかじめ定めたしきい値を超えた場合は直接リンクを自動的に設定する。
【００５６】
さらに自動設定した直接リンクの利用回数があらかじめ定めたしきい値を下回った場合には直接リンクを解除する。このとき、ユーザ自身が新規時に登録したリンクについてはどんなに利用回数が少なくてもリンクを解除することはしない。
【００５７】
また自動再設定のための利用回数の計算方法としては、登録コンテンツを要素にもつ行列を作成し、その行列の計算をすることで算出することも可能である。
【図面の簡単な説明】
【００５８】
【図１】本発明の基本構成を示すブロック図。
【図２】本発明の第１の実施形態の検索対象の相互参照例を示した説明図。
【図３】本発明の第１の実施形態において、画像（静止画１）を関連元に指定した場合の検索結果を示した説明図。
【図４】本発明の第１の実施形態において、画像（静止画１）と画像（静止画２）を関連元に指定した場合の検索結果を示した説明図。
【図５】本発明の第１の実施形態において、文書２を関連元に指定し、検索範囲を２階層までとした場合の検索結果を示した説明図。
【図６】本発明の第１の実施形態において、新規コンテンツ（画像（動画４））を登録した場合の説明図。
【図７】本発明の第２の実施形態のグループ化した場合の検索対象を示した説明図。
【図８】本発明の第２の実施形態において、グループＡを関連元とした場合の検索結果を示した説明図。
【図９】本発明の第２の実施形態において、グループＡとグループＢを関連元に指定した場合の検索結果を示した説明図。
【図１０】本発明の第３の実施形態において、リンクやコンテンツの利用頻度による重み付けした結果を示した説明図。
【図１１】本発明の第３の実施形態において、リンクの再構築を行った結果を示した説明図。
【図１２】従来の検索システムの説明図。
【符号の説明】
【００５９】
１１…大容量記憶媒体
１２…リンク構築手段
１３…検索手段
１４…利用頻度集計・表示制御手段
２３…表示部
２４…演算部
【図１】
2007066228.tif 000004
【図２】
2007066228.tif 000005
【図３】
2007066228.tif 000006
【図４】
2007066228.tif 000007
【図５】
2007066228.tif 000008
【図６】
2007066228.tif 000009
【図７】
2007066228.tif 000010
【図８】
2007066228.tif 000011
【図９】
2007066228.tif 000012
【図１０】
2007066228.tif 000013
【図１１】
2007066228.tif 000014
【図１２】
2007066228.tif 000015